(57)【要約】【課題】使用後、立体的な箱体を容易に解体することができ、薄く折り畳まれたコンパクトな状態で廃棄することができるラップラウンド型包装箱を提供する。【解決手段】筒体形成板２０，２２を区切る第一折罫線２８と、筒体形成板２２，２４を区切る第二折罫線３０とを備える。第二の筒体形成板２２は、第一折罫線２８の両端から第二折罫線３０の途中の２箇所に各々達する第一解体用破断線７４(1)，７４(2)を備える。第三の筒体形成板２４は、第一解体用破断線７４(1)，７４(2)の端部同士を連結する第二解体用破断線７６を備える。第三の筒体形成板２４は、第二折罫線３０の両端から第二解体用破断線７６の両端に各々達する第三解体用破断線７８(1)，７８(2)を備える。第二の筒体形成板２２は、第二折罫線３０の両端から第一解体用破断線７４(1)，７４(2)の途中の位置に各々達する２つの解体用折罫線８０(1)，８０(2)を備える。【選択図】図２
0003224244.tif 000002
【実用新案登録請求の範囲】
【請求項１】
四角形の筒体の両端が第一及び第二の側壁部で閉鎖されたラップラウンド型包装箱において、
一枚の箱体形成片から成り、前記箱体形成片は、順に一列に連接された第一、第二、第三及び第四の筒体形成板と、前記第一及び第二の筒体形成板を区切る第一折罫線と、前記第二及び第三の筒体形成板を区切る第二折罫線と、前記第二の筒体形成板の内側に、互いに交差しないように設けられた２つの破断線であって、前記第一折罫線の両端を起点とし、前記第二折罫線の途中の２箇所に各々達する２つの第一解体用破断線と、前記第三の筒体形成板の内側に設けられた破断線であって、一方の前記第一解体用破断線の一端を起点とし、他方の前記第一解体用破断線の一端に達する第二解体用破断線と、前記第三の筒体形成板の内側に、互いに交差しないように設けられた２つの破断線であって、前記第二折罫線の両端を起点とし、前記第二解体用破断線の両端に各々達する２つの第三解体用破断線と、前記第二の筒体形成板の内側に、互いに交差しないように設けられた２つの折罫線であって、前記第二折罫線の両端を起点とし、２つの前記第一解体用破断線の途中の位置に各々達する２つの解体用折罫線と、前記第四の筒体形成板を開閉可能にする開封機構とを備え、
前記第二の筒体形成板は、２つの前記第一解体用破断線により、前記第一解体用破断線の外側に位置する２つの外側領域と、２つ前記外側領域に挟まれた内側領域とに区切られ、前記第三の筒体形成板は、前記第二解体用破断線により、前記第二解体用破断線と前記第二折罫線とで囲まれた舌片状領域と、その他の領域である本体領域とに区切られ、
組み立て状態で、前記第一の筒体形成板の連接方向の端辺が、前記第四の筒体形成板の連接方向の端辺の位置に固定されて前記筒体が形成され、
前記開封機構に対して開封処理が行われて前記第四の筒体形成板が開放され、さらに、前記第一及び第二解体用破断線を破断させる処理が行われて前記内側領域及び前記舌片状領域が開放された状態で、前記第一及び第三の筒体形成板と前記第一及び第二の側壁部とで形成された四角形の筒状部分に対し、当該筒状部分の対角に位置する２つの角部を相互に近づける処理が行われると、前記第一の側壁部に近い方の前記第三解体用破断線が自動的に破断して、前記第一の側壁部に近い方の前記外側領域が前記第三の筒体形成板から切り離され、前記第二の側壁部に近い方の前記解体用折罫線が自動的に折れ曲がり、前記第一、第二、第三及び第四の筒体形成板と前記第一及び第二の側壁部とが平坦に折り重なることを特徴とするラップラウンド型包装箱。
【請求項２】
前記第一、第二、及び第三解体用破断線は、切り込みと繋ぎ部とを交互に配置することによって設けられている請求項１記載のラップラウンド型包装箱。
【請求項３】
前記箱体形成片が備える前記開封機構は、前記第四の筒体形成板の連接方向の端辺に連接された差し込み板と、前記差し込み片の連接方向の端辺に連接された糊付け板と、前記差し込み板及び前記糊付け板を区切る開封用破断線とで構成され、
組み立て状態で、前記差し込み板及び糊付け板が前記第一の筒体形成板の外面に面一に重なり、前記糊付け板が前記第一の筒体形成板に糊付けされて前記筒体が形成され、前記第四の筒体形成板の連接方向に対して直角方向の２つの端辺は、前記第一及び第二の側壁部に対して未接続であり、
前記開封用破断線を破断させる開封処理が行われた後、前記第一の筒体形成板の内側に前記差し込み板を差し込むことによって再封することができる請求項１又は２記載のラップラウンド型包装箱。
【請求項４】
前記第一及び第二の側壁部の、組み立て状態で前記第四の筒体形成板に近接する各端辺にサイドフラップが設けられ、
再封された状態で、２つの前記サイドフラップが前記第一及び第二の側壁部の内側に倒れ、前記第四の筒体形成板が前記サイドフラップの外面に重なり、前記サイドフラップと前記第一の筒体形成板との隙間に前記差し込み板が入って係止される請求項３記載のラップラウンド型包装箱。
【考案の詳細な説明】
【技術分野】
【０００１】
本考案は、四角形の筒体の両端が２つの側壁部で閉鎖されたラップラウンド型包装箱に関する。
【背景技術】
【０００２】
例えば、医薬品用の包装箱は、病院や調剤薬局等の医療機関で使用された後、多量に廃棄されることになるので、薄く折り畳んでコンパクトに廃棄できることが求められる。
【０００３】
従来、例えば特許文献１に開示されているように、筒体を形成する４つの板の中の１つである底板に、底板の中央部を筒体の長さ方向に横切る中央折罫線を設け、底板の４つの角部から中央折罫線に向かって斜めに延びる折曲補助線を設け、さらに底板の中央折罫線を、筒体の両端を閉鎖する２つの側壁部の内側まで延長したラップラウンド型の外箱があった。
【０００４】
収容物を取り出すための開口面は天板（底板に対向する板）であり、天板を開放可能にするため、天板と側壁部との稜線部分に沿って開封用ミシン孔が設けられている。また、天板の端部に差込片が延設され、開封した後、差込片を利用して再封できる構造になっている。
【０００５】
この外箱は、開封用ミシン孔を破断させて天板を開放した後、廃棄する時は、中央折罫線及び折曲補助線を所定の方向に折り曲げる処理を行う。これによって、底板が中央部で折れて重なり、２つの側壁部が各々中央部で折れて重なり、全体として平坦に折り畳まれた状態になり、コンパクトに廃棄することができる。
【先行技術文献】
【特許文献】
【０００６】
【特許文献１】実開昭６２−１９１６２２号公報
【考案の概要】
【考案が解決しようとする課題】
【０００７】
特許文献１の外箱は、廃棄するために折り畳まれた状態で、各部の板が何重にも折り重なった状態になり（例えば、多い所では４〜６重に折り重なる箇所がある）、複数の折り曲げ部分に強い反発力が作用する。したがって、折り畳んだ後、すぐに立体的な形状に戻ってしまい、外箱をコンパクトな状態で廃棄することが難しい。また、この外箱は、天板と側壁部との稜線部分に沿って長い開封用ミシン孔が配置されるので、稜線部分を普通の折罫線にした時よりも、箱体としての強度が低下するという問題もある。
【０００８】
本考案は、上記背景技術に鑑みて成されたものであり、使用後、立体的な箱体を容易に解体することができ、薄く折り畳まれたコンパクトな状態で廃棄することができるラップラウンド型包装箱を提供することを目的とする。
【課題を解決するための手段】
【０００９】
本考案は、四角形の筒体の両端が第一及び第二の側壁部で閉鎖されたラップラウンド型包装箱であって、
一枚の箱体形成片から成り、前記箱体形成片は、順に一列に連接された第一、第二、第三及び第四の筒体形成板と、前記第一及び第二の筒体形成板を区切る第一折罫線と、前記第二及び第三の筒体形成板を区切る第二折罫線と、前記第二の筒体形成板の内側に、互いに交差しないように設けられた２つの破断線であって、前記第一折罫線の両端を起点とし、前記第二折罫線の途中の２箇所に各々達する２つの第一解体用破断線と、前記第三の筒体形成板の内側に設けられた破断線であって、一方の前記第一解体用破断線の一端を起点とし、他方の前記第一解体用破断線の一端に達する第二解体用破断線と、前記第三の筒体形成板の内側に、互いに交差しないように設けられた２つの破断線であって、前記第二折罫線の両端を起点とし、前記第二解体用破断線の両端に各々達する２つの第三解体用破断線と、前記第二の筒体形成板の内側に、互いに交差しないように設けられた２つの折罫線であって、前記第二折罫線の両端を起点とし、２つの前記第一解体用破断線の途中の位置に各々達する２つの解体用折罫線と、前記第四の筒体形成板を開閉可能にする開封機構とを備え、
前記第二の筒体形成板は、２つの前記第一解体用破断線により、前記第一解体用破断線の外側に位置する２つの外側領域と、２つ前記外側領域に挟まれた内側領域とに区切られ、前記第三の筒体形成板は、前記第二解体用破断線により、前記第二解体用破断線と前記第二折罫線とで囲まれた舌片状領域と、その他の領域である本体領域とに区切られ、
組み立て状態で、前記第一の筒体形成板の連接方向の端辺が、前記第四の筒体形成板の連接方向の端辺の位置に固定されて前記筒体が形成され、
前記開封機構に対して開封処理が行われて前記第四の筒体形成板が開放され、さらに、前記第一及び第二解体用破断線を破断させる処理が行われて前記内側領域及び前記舌片状領域が開放された状態で、前記第一及び第三の筒体形成板と前記第一及び第二の側壁部とで形成された四角形の筒状部分に対し、当該筒状部分の対角に位置する２つの角部を相互に近づける処理が行われると、前記第一の側壁部に近い方の前記第三解体用破断線が自動的に破断して、前記第一の側壁部に近い方の前記外側領域が前記第三の筒体形成板から切り離され、前記第二の側壁部に近い方の前記解体用折罫線が自動的に折れ曲がり、前記第一、第二、第三及び第四の筒体形成板と前記第一及び第二の側壁部とが平坦に折り重なることを特徴とするラップラウンド型包装箱である。前記第一、第二、及び第三解体用破断線は、切り込みと繋ぎ部とを交互に配置することによって設けられていることが好ましい。
【００１０】
前記箱体形成片が備える前記開封機構は、前記第四の筒体形成板の連接方向の端辺に連接された差し込み板と、前記差し込み片の連接方向の端辺に連接された糊付け板と、前記差し込み板及び前記糊付け板を区切る開封用破断線とで構成され、組み立て状態で、前記差し込み板及び糊付け板が前記第一の筒体形成板の外面に面一に重なり、前記糊付け板が前記第一の筒体形成板に糊付けされて前記筒体が形成され、前記第四の筒体形成板の連接方向に対して直角方向の２つの端辺は、前記第一及び第二の側壁部に対して未接続であり、前記開封用破断線を破断させる開封処理が行われた後、前記第一の筒体形成板の内側に前記差し込み板を差し込むことによって再封することができる構成にすることができる。この場合、前記第一及び第二の側壁部の、組み立て状態で前記第四の筒体形成板に近接する各端辺にサイドフラップが設けられ、再封された状態で、２つの前記サイドフラップが前記第一及び第二の側壁部の内側に倒れ、前記第四の筒体形成板が前記サイドフラップの外面に重なり、前記サイドフラップと前記第一の筒体形成板との隙間に前記差し込み板が入って係止される構成にすることが好ましい。
【考案の効果】
【００１１】
本考案のラップラウンド型包装箱は、独特な構造の解体用破断線及び解体用折罫線を備えているので、廃棄する時、立体的な構造を簡単且つスムーズに解体することができる。また、解体して折り畳まれた状態で、各部の板の重なり数が非常に少なく、各折り曲げ部分の反発力が弱くなるので、平坦に折り畳まれた後、立体的な形状に戻りにくい。したがって、薄く折り畳まれたコンパクトな状態で廃棄することができる。
【００１２】
また、組み立て状態で、破断線が箱体の稜線部分に沿って配置される箇所はない。したがって、各破断線を設けたことによる箱体の強度の低下は最小限に抑えられる。
【図面の簡単な説明】
【００１３】
【図１】本考案のラップラウンド型包装箱の一実施形態の組み立て状態を、第一及び第四の筒体形成板の側から見た斜視図（ａ）、第一及び第二の筒体形成板の側から見た斜視図（ｂ）、第三及び第四の筒体形成板の側から見た斜視図（ｃ）、第二及び第三の筒体形成板の側から見た斜視図（ｄ）である。
【図２】この実施形態のラップラウンド型包装箱を展開した箱体形成片を表面側から見た平面図である。
【図３】この実施形態のラップラウンド型包装箱の組み立て途中の状態を、第一及び第四の筒体形成板の側から見た斜視図（ａ）、第二及び第三の筒体形成板の側から見た斜視図（ｂ）である。
【図４】この実施形態のラップラウンド型包装箱が開封された状態を、第一及び第四の筒体形成板の側から見た斜視図（ａ）、第二及び第三の筒体形成板の側から見た斜視図（ｂ）である。
【図５】この実施形態のラップラウンド型包装箱の解体途中の状態（第一及び第二の解体用破断線を破断させた状態）を、第一及び第四の筒体形成板の側から見た斜視図（ａ）、第二及び第三の筒体形成板の側から見た斜視図（ｂ）である。
【図６】この実施形態のラップラウンド型包装箱の解体途中の状態（筒状部分の２つの角部を相互に近づける処理を行っている状態）を示す平面図（ａ）、正面図（ｂ）である。
【図７】この実施形態のラップラウンド型包装箱の解体後の折り畳み状態を示す平面図（ａ）、正面図（ｂ）である。
【考案を実施するための形態】
【００１４】
以下、本考案のラップラウンド型包装箱の一実施形態について、図面に基づいて説明する。この実施形態のラップラウンド型包装箱１０は、例えば医薬用の点眼剤等の包装に使用される小形の包装箱で、図１（ａ）〜（ｄ）に示すように、四角形の筒体１２の両端が第一及び第二の側壁部１４，１６で閉鎖された直方体形状の箱体である。外形寸法は、例えば高さが約６０ｍｍ、幅が約１００ｍｍ、奥行きが約５５ｍｍ程度である。
【００１５】
ラップラウンド型包装箱１０は、厚紙等で成る一枚の箱体形成片１８を組み立てることによって形成される。箱体形成片１８は、図２（ａ）に示すように、順に一列に連接された４つの筒体形成板２０，２２，２４，２６を有している。筒体形成板２０，２２，２４，２６は、連接している幅方向の長さが同じであり、連接方向の長さは、筒体形成板２０，２４が少し長くて互いにほぼ等しく、筒体形成板２２，２６が少し短くて互いにほぼ等しい。筒体形成板２０，２２，２４，２６は、各々折罫線２８，３０，３２で区切られている。以下、各筒体形成板２０，２２，２４，２６を、各々第一、第二、第三及び第四の筒体形成板２０，２２，２４，２６と称し、折罫線２８，３０を、各々第一及び第二折罫線２８，３０と称する。
【００１６】
第四の筒体形成板２６の連接方向の端辺には、略長方形の差し込み板３４が延設され、折罫線３６で第四の筒体形成板２６と区切られている。差し込み板３４の連接方向長さは、第一及び第三の筒体形成板２０，２４の連接方向長さの約1/4である。
【００１７】
さらに、差し込み板３４の連接方向の端辺には、略長方形の糊付け板３８が延設され、開封用破断線４０で差し込み板３４と区切られている。糊付け板３８の連接方向長さは、第一及び第三の筒体形成板２０，２４の連接方向長さの約1/2である。開封用破断線４０は、開封時に使用者によって切り離される線で、開封処理を容易にするため、開封用破断線４０の中央部に透孔４０ａを設け、差し込み板３４の端縁部に指を掛けやすくしている。差し込み板３４、糊付け板３８、開封用破断線４０及び透孔４０ａは、ラップラウンド型包装箱１０の開封機構を構成する。
【００１８】
第一、第二及び第三の筒体形成板２０，２２，２４の、図２（ａ）における右側の端辺には、第一の側壁部１４を形成するための部材が各々延設され、左側の端辺には、第二の側壁部１６を形成するための部材が各々延設されている。
【００１９】
第一の筒体形成板２０の右側の端辺には、台形状の糊付け片４２が延設され、折罫線４４で第一の筒体形成板２０と区切られている。同様に、左側の端辺には、台形状の糊付け片４６が延設され、折罫線４８で第一の筒体形成板２０と区切られている。糊付け片４２と４６の延出長さはほぼ同じで、第二及び第四の筒体形成板２２，２６の連接方向長さの1/2よりも少し短い。
【００２０】
第二の筒体形成板２２の右側の端辺には、略長方形の側板５０が延設され、折罫線５２で第二の筒体形成板２２と区切られている。側板５０の延出長さは、第一及び第三の筒体形成板２０，２４の連接方向長さとほぼ同じである。さらに、側板５０の先端側の端辺には、台形状のサイドフラップ５４が延設され、折罫線５６で側板５０と区切られている。
【００２１】
同様に、第二の筒体形成板２２の左側の端辺には、略長方形の側板５８が延設され、折罫線６０で第二の筒体形成板２２と区切られている。側板５８の延出長さは、第一及び第三の筒体形成板２０，２４の連接方向長さとほぼ同じである。さらに、側板５８の先端側の端辺には、台形状のサイドフラップ６２が延設され、折罫線６４で側板５８と区切られている。
【００２２】
第三の筒体形成板２４の右側の端辺には、台形状の糊付け片６６が延設され、折罫線６８で第三の筒体形成板２４と区切られている。同様に、左側の端辺には、台形状の糊付け片７０が延設され、折罫線７２で第三の筒体形成板２４と区切られている。糊付け片６６と７０の延出長さはほぼ同じで、第二及び第四の筒体形成板２２，２６の連接方向長さの1/2よりも少し短い。
【００２３】
さらに、第二及び第三の筒体形成板２２，２４の内側には、ラップラウンド型包装箱１０を開封した後、解体する時に動作する解体用破断線及び解体用折罫線が複数設けられている。解体用破断線は、解体処理が行われた時に破断する線であり、解体用折罫線は、解体処理が行われた時に基材を折れ曲がりやすくする線である。
【００２４】
第二の筒形形成板２２の内側には、第一折罫線２８の両端を起点とし、第二折罫線３０の途中の２箇所に各々達する２つの第一解体用破断線７４(1)，７４(2)が設けられている。第二の筒体形成板２２は、第一解体用破断線７４(1)，７４(2)により、第一解体用破断線７２(1)の外側に位置する細長い略三角形の外側領域２２ａ(1)と、第一解体用破断線７２(2)の外側に位置する細長い略三角形の外側領域２２ａ(2)と、外側領域２２ａ(1)，２２ａ(2)に挟まれた内側領域２２ｂとに区切られる。
【００２５】
第三の筒体形成板２４の内側には、第一解体用破断線７４(1)の一端を起点とし、第一解体用破断線７４(2)の一端に達する円弧状の第二解体用破断線７６が設けられている。第三の筒体形成板２４は、第二解体用破断線７６により、第二解体用破断線７６と第二折罫線３０の中央部とで囲まれた舌片状領域２４ａと、その他の領域である本体領域２４ｂとに区切られる。
【００２６】
また、第三の筒体形成板２４の内側には、第二折罫線３０の両端を起点とし、第二解体用破断線７６の両端に各々達する２つの第三解体用破断線７８(1)，７８(2)とが設けられている。第三解体用破断線７８(1)，７８(2)は、図２（ｂ）、（ｃ）に示すように、切り込みと繋ぎ部（基材が切断されていない部分）とを交互に配置したミシン目状の破断線であり、中央部が第二折罫線３０から離れる方向に膨出した略Ｖ字形にレイアウトされている。
【００２７】
さらに、第二の筒体形成板２２の内側には、第二折罫線３０の両端を起点とし、第一解体用破断線７４(1)，７４(2)の途中の２箇所に各々達する２つの解体用折罫線８０(1)，８０(2)が設けられている。図２（ｂ）、（ｃ）に示すように、解体用折罫線８０(1)，８０(2)は、切り込みと繋ぎ部とを交互に配置したミシン目状の折罫線である。
【００２８】
その他、第一の筒体形成板２０の連接方向の端辺の中央部には、半円形の切り欠き２０ａが設けられている。
【００２９】
次に、ラップラウンド型包装箱１０の組み立て方法の一例を説明する。ここでは、図２（ａ）に示す箱体形成片１８の各折罫線及び破断線の折り曲げ方について、表面が凸になる折り方を正折り、裏面が凸になる折り方を逆折りと称する。
【００３０】
まず、第一及び第二折罫線２８，３０を各々９０度に正折りして第一及び第三の筒体形成板２０，２４を互いに対向させ、第二の筒体形成板２２の裏面側に収容物を載置する。その後、第一及び第二の側壁部１４，１６を形成するため、折罫線４４，４８，６８，７０を各々９０度に正折りして糊付け片４２，４６，６６，７２を倒し、糊付け片４２，４６，６６，７２の各表面側に糊を塗布する。そして、折罫線５２を９０度に正折りして側板５０を糊付け片４２，６６に重ね、側板５０の裏面側を糊付け片４２，６６に糊付けして第一の側壁部１４を形成し、さらに、折罫線６０を９０度に正折りして側板５８を糊付け片４６，７２に重ね、側板５８の裏面側を糊付け片４６，７２に糊付けして第二の側壁部１６を形成する。これで、図３（ａ）、（ｂ）に示す状態になる。
【００３１】
次は、上側の開口部を閉鎖するため、折罫線５６，６４でサイドフラップ５４，６２を各々９０度に正折りし、折罫線３２を９０度に正折りして第四の筒体形成板２６をサイドフラップ５４，６２に重ねる。さらに、糊付け板３８の裏面側に糊を塗布した後、折罫線３６を９０度に正折りして差し込み板３４及び糊付け板３８を第一の筒体形成板２０の外面に重ね、糊付け板３８の裏面側を筒体形成板２０に糊付けする。これで上側の開口部が第四の筒体形成板２６で閉鎖され、図１（ａ）〜（ｄ）に示すように、四角形の筒体１２の両端が第一及び第二の側壁部１４，１６で閉鎖された組み立て状態になる。
【００３２】
この組み立て状態で、直方体形状の稜線部分に破断線が交差する箇所はあるが、稜線部分に沿って破断線が配置される箇所はない。したがって、解体用破断線７４(1)，７４(2)，７６，７８(1)，７８(2)及び開封用破断線４０を設けたことによる箱体の強度の低下は、最小限に抑えられる。
【００３３】
ラップラウンド型包装箱１０を開封する時は、まず、透孔４０ａから見えている差し込み板３４の端縁部に指を掛け、差し込み板３４を少し引き上げて開封用破断線４０を破断させる。すると、差し込み板３４が糊付け板３８から切り離され、第四の筒体形成板２６が開閉可能になる。そして、第四の筒体形成板２６とサイドフラップ５４，６２を順に引き起こすと図４（ａ）、（ｂ）に示す状態になり、中の収容物を取り出すことができる。
【００３４】
ラップラウンド型包装箱１０を開封した後、再封する時は、再びサイドフラップ５４，６２と第四の筒体形成板２６を順に倒して上側の開口部を塞ぎ、差し込み板３４をサイドフラップ５４，６２と第一の筒体形成板２０との隙間に差し込む。これで差し込み板３４が係止され、第四の筒体形成板２６が閉じた状態に保持される。
【００３５】
その後、再び第四の筒体形成板２６を開く時は、第一の筒体形成板２０の切り欠き２０ａから露出している部分（折罫線３６の中央部）に指を掛けて、差し込み板３４及び第四の筒体形成板２６を引き上げるとよい。
【００３６】
ラップラウンド型包装箱１０を使用した後、廃棄する時は、立体的な箱体を平坦な折り畳み状態にする解体処理を行う。まず、図４（ｂ）に示すラップラウンド型包装箱１０の、第三の筒体形成板２４の舌片状領域２４ａを指で押し、第二の解体用破断線７６を破断させる。その後、第二の筒体形成板２２の内側領域２２ｂを引き下げて第一解体用破断線７４(1)，７４(2)を破断させ、図５（ａ）、（ｂ）に示す状態にする。
【００３７】
この状態では、第一の側壁部１４と第二の筒体形成板の外側領域２２ａ(1)と第三の筒体形成板２４の本体領域２４ｂとが立体的に交差する角部が残っており、この角部は、ラップラウンド型包装箱１０を平坦に折り畳む際の障害となる。同様に、第二の側壁部１６と第二の筒体形成板の外側領域２２ａ(2)と第三の筒体形成板２４の本体領域２４ｂとが立体的に交差する角部が残っており、この角部も、ラップラウンド型包装箱１０を平坦に折り畳む際の障害となる。
【００３８】
そこで次に、この２つの立体的な角部を解体するため、第一及び第三の筒体形成板２０，２４と第一及び第二の側壁部１４，１６とで形成される四角形の筒状部分８２に対し、筒状部分８２の対角に位置する折罫線４８，６８の部位を互いに近づける処理を行う。
【００３９】
すると、図６（ａ）、（ｂ）に示すように、この処理を開始してすぐ、第一の側壁部１４に近い方の第三解体用破断線７８(1)が自動的に破断し、外側領域２２ａ(1)が第三の筒体形成板２４の本体領域２４ｂから切り離され、第一の側壁部１４の側の立体的な角部が解体される。また、第二の側壁部１６に近い方の解体用折罫線８０(2)が正折りの方向に自動的に折れ曲がって外側領域２２ａ(2)が外向きに膨出し始め、第二の側壁部１６の側の角部も解体される。
【００４０】
そして、この処理を最後まで行うと、図７（ａ）、（ｂ）に示すように、第一、第二、第三及び第四の筒体形成板２０，２２，２４，２６と第一及び第二の側壁部１４，１６とを平坦に折り重ねることができる。
【００４１】
図６、図７では、筒状部分８２の折罫線４８，６８の部位を互いに近づける処理が行われた時の動作を示したが、折罫線４４，５２の部位を相互に近づける処理が行われた場合も、類似した動作が行われる。すなわち、この処理を開始した直後、第二の側壁部１６に近い方の第三解体用破断線７８(2)が自動的に破断し、第二の側壁部１６に近い方の外側領域２２ａ(2)が第三の筒体形成板２４の本体領域２４ｂから切り離され、一方の立体的な角部が解体される。また、第一の側壁部１４に近い方の解体用折罫線８０(1)が正折りの方向に自動的に折れ曲がり、第一の側壁部１４に近い方の外側領域２２ａ(1)が外向きに膨出し始め、もう一方の角部も解体される。そして、この処理を最後まで行うと、上記と同様に、前記第一、第二、第三及び第四の筒体形成板２０，２２，２４，２６と第一及び第二の側壁部１４，１６とが平坦に折り重なる。
【００４２】
以上説明したように、ラップラウンド型包装箱１０は、独特な構造の解体用破断線７４(1)，７４(2)，７６，７８(1)，７８(2)及び解体用折罫線８０(1)，８０(2)を備えているので、廃棄する時、立体的な構造を簡単且つスムーズに平坦な形状に解体することができる。また、解体して折り畳まれた状態で、各部の板の重なり数が非常に少なく（２〜３重）、各折り曲げ部分の反発力が弱くなるので、平坦に折り畳まれた後、立体的な形状に戻りにくい。したがって、薄く折り畳まれたコンパクトな状態で廃棄することができる。
【００４３】
また、組み立て状態で、破断線が直方体形状の稜線部分に沿って配置される箇所はない。したがって、各破断線（解体用破断線７４(1)，７４(2)，７６，７８(1)，７８(2)及び開封用破断線４０）を設けたことによる箱体の強度の低下は、最小限に抑えられる。
【００４４】
なお、本考案のラップラウンド型包装箱は、上記実施形態に限定されるものではない。例えば、第一、第二及び第三解体用破断線は、切り込みと繋ぎ部（基材が切断されていない部分）とを交互に配置した線であることが好ましく、各切り込みの形状は、開封時に破断させやすいように自由に変更することができる。また、ラップラウンド型包装箱１０は比較的小形であるが、もっと外形が大きい場合は各破断線の長さが相対的に長くなるので、各切り込み及び各繋ぎ部の長さを長くしたり、切り込み及び繋ぎ部の数を増やしたりすればよい。
【００４５】
解体用折罫線は、解体処理が行われた時、第二の筒体形成板の外側領域を折れやすくするための線であり、上記の解体用折罫線８０(1)，８０(2)のように、切り込みと繋ぎ部とを交互に配置したミシン目状の折罫線にしてもよいし、例えば、基材を厚み方向に圧縮して形成した折罫線にしてもよい。
【００４６】
上記のラップラウンド型包装箱１０の開封機構は、再封機能を付加するため、差し込み板３４、糊付け板３８、開封用破断線４０及び透孔４０ａで構成されているが、開封機構の構造は、上述した解体動作が可能な範囲で自由に変更することができる。例えば、再封機能が不要であれば、差し込み板３４等は省略することができる。
【００４７】
第一及び第二の側壁部の構造は、上記の第一及び第二の側壁部１４，１６の構造に限定されず、上述した解体動作が可能な範囲で自由に変更することができる。
【００４８】
本考案のラップラウンド型包装箱の収容物は医薬品に限定されず、医薬品以外の様々な物品を包装対象にできる。そして、箱体の大きさ（高さ、幅、奥行き）は、収容物の大きさに合わせて適宜変更することができる。
【符号の説明】
【００４９】
１０  ラップラウンド型包装箱
１２  筒体
１４  第一の側壁部
１６  第二の側壁部
１８  箱体形成片
２０  第一の筒体形成板
２２  第二の筒体形成板
２２ａ(1)，２２ａ(2)  外側領域
２２ｂ  内側領域
２４  第三の筒体形成板
２４ａ  舌片状領域
２４ｂ  本体領域
２６  第四の筒体形成板
２８  第一折罫線
３０  第二折罫線
３４  差し込み板
３８  糊付け板
４０  開封用破断線
５４，６４  サイドフラップ
７４(1)，７４(2)  第一解体用破断線
７６  第二解体用破断線
７８(1)，７８(2)  第三解体用破断線
８０(1)，８０(2)  解体用折罫線
８２  筒状部分
【図１】
0003224244.tif 000003
【図２】
0003224244.tif 000004
【図３】
0003224244.tif 000005
【図４】
0003224244.tif 000006
【図５】
0003224244.tif 000007
【図６】
0003224244.tif 000008
【図７】
0003224244.tif 000009